(57)【要約】      （修正有）【課題】災害などの際に水を手動で浄化することができる浄水装置を提供することを目的とする。【解決手段】手動で作動される浄水装置１であって、手動で作動されるポンプ部１０と、原水に浸漬される吸水部３と、浄化した浄化水を排水する浄化水供給部７と、浄化水供給部７とポンプ部１０との間に設置される浄水部４と、を備えており、ポンプ部１０が、シリンダボディ１１と、シリンダボディ１１内に配置されたピストンと、を有しており、ピストンをシリンダボディ１１に沿って移動させると、吸水部３から原水を吸引して浄化水供給部７から浄化水を排出するようになっている。ポンプ部１０を手動で作動させれば、原水を濾過浄化して、飲用に適した水とすることができる。しかも、手動で作動するので、メンテナンスの手間が少なくなり、管理の手間とコストを低減することができる。【選択図】図１
0003203626.tif 000002
【実用新案登録請求の範囲】
【請求項１】
手動で作動される浄水装置であって、
手動で作動されるポンプ部と、
原水に浸漬される吸水部と、
浄化した浄化水を供給する浄化水供給部と、
該浄化水供給部と前記ポンプ部との間に設置される浄水部と、を備えており、
前記ポンプ部が、
シリンダボディと、該シリンダボディ内に配置されたピストンと、を有しており、
該ピストンを前記シリンダボディに沿って移動させると、前記吸水部から原水を吸引して前記浄化水供給部から浄化水を排出し得る構造を有している
ことを特徴とする浄水装置。
【請求項２】
前記ポンプ部および前記浄水部が取り付けられる板状の本体プレートを備えており、
前記浄水部は、
水を濾過するフィルタと、該フィルタで濾過された濾過水を浄化する浄化器具と、を備えており、
前記ポンプ部、前記フィルタ、前記浄化部は、いずれも軸方向に延びた筒状部材であり、
前記ポンプ部、前記フィルタ、前記浄化部は、
前記本体プレートの表面に、互いの軸方向が平行になりかつ該フィルタと該浄化部の間に該ポンプ部が位置するように取り付けられている
ことを特徴とする請求項１記載の浄水装置。
【請求項３】
前記ポンプ部は、
シリンダボディの外部と内部を連通する連通口を備えており、該連通口に弁部が取り付けられており、
該弁部は、
前記吸水部と前記ポンプ部との間に配置され、前記吸水部から前記ポンプ部に向かう流れのみを許容する吸水側逆止弁と、
前記ポンプ部と前記浄水部の間に配置され、前記ポンプ部から前記浄水部に向かう流れのみを許容する供給側逆止弁と、を有している
ことを特徴とする請求項１または２記載の浄水装置。
【請求項４】
前記浄水部の浄化器具が、中空糸膜を有するフィルタである
ことを特徴とする請求項１、２または３記載の浄水装置。
【請求項５】
原水がペットボトル飲料水である
ことを特徴とする請求項１、２、３または４記載の浄水装置。
【考案の詳細な説明】
【技術分野】
【０００１】
本考案は、浄水装置に関する。さらに詳しくは、非常時においてペットボトル飲料やプール、受水槽等の水を浄化するための浄水装置に関する。
【背景技術】
【０００２】
日常生活では、浄水場において浄化された水が水道から供給されており、いつでも安全な水が提供されている。しかし、地震等の災害時において水道管が損傷したり停電が発生したりした場合には、水道から水を供給できなくなる場合がある。そこで、近年では、水道から水を供給できなくなった場合に備えて、自治体や家庭、マンション等において、ペットボトル飲料水を災害用に保管しておくことが行われている。例えば、自治体などでは、災害用品を保管する倉庫等に数千〜数万本程度のペットボトル飲料水が保管されている。
【０００３】
しかし、災害用品も一定の消費期限が決められており、その期間が過ぎれば廃棄されて新しい災害用品を購入しなければならない。ペットボトル飲料水であれば、通常では、消費期限は５年程度であり、５年ごとに新しいペットボトル飲料水が購入され、消費期限の過ぎたペットボトル飲料水は廃棄されている。しかし、５年程度で水道から水を供給できなくなる災害が発生する可能性はそれほど高くないので、災害用のペットボトル飲料水を交換することは自治体には大きな費用負担となっている。しかも、数千〜数万本程度のペットボトル飲料水トボトル飲料水が保管するには、非常に広いスペースを確保していなければならない。しかも、このスペースは、通常時にはデッドスペースになってしまうため、この点からも自治体には大きな負担が発生する。
【０００４】
また、一般のマンションにおいて、管理組合が災害用品を準備している場合でも、５年程度でペットボトル飲料水を交換することは住人にとって非常に大きな費用負担となる。しかも、一般のマンション等では、居住スペースや共有スペースは有効に利用したいという意向はより強いので、ペットボトル飲料水を保管するスペースを設けることは抵抗感や負担感をより大きく感じる。
【０００５】
一方、災害時において、水を供給する設備として、特許文献１のように、池や河川の水を浄化して飲料水にできるものが開発されている。かかる設備を備えておけば、ペットボトル飲料水を保管しておかなくても、災害時に飲料水を提供できる可能性がある。例えば、近くに池や河川などがあれば、設備を稼働することによって飲料水を提供できる。
【先行技術文献】
【特許文献】
【０００６】
【特許文献１】特開２０１３−２１２４７０号公報
【考案の概要】
【考案が解決しようとする課題】
【０００７】
しかるに、特許文献１の設備では、エンジン発電機によって設備を作動するため、エンジン発電機用の燃料を保管しておかなければならない。つまり、ペットボトル飲料水の替わりに、燃料を保管しておかなければならないので、保管スペースなどの軽減にはつながらない。
【０００８】
しかも、設備を災害時に稼働させるためには、平常時から設備の点検や整備、また、定期的な運転などをしなければならず、ペットボトル飲料水を保管する場合に比べて、管理の手間とコストが余分にかかる可能性がある。
【０００９】
もし、消費期限を過ぎたペットボトル飲料水等を安全に飲むことができれば、ペットボトル飲料水の入れ替え頻度を低減できるので、災害用品の維持管理コストを低減することができるので好ましい。
【００１０】
本考案は上記事情に鑑み、災害などの際に水を手動で浄化することができる浄水装置を提供する。
【課題を解決するための手段】
【００１１】
第１考案の浄水装置は、手動で作動される浄水装置であって、手動で作動されるポンプ部と、原水に浸漬される吸水部と、浄化した浄化水を供給する浄化水供給部と、前記吸水部と前記ポンプ部との間に設置されるフィルタ部と、前記ポンプ部と前記浄化水供給部との間に設置される浄水部と、を備えており、前記ポンプ部が、シリンダボディと、該シリンダボディ内に配置されたピストンと、を有しており、該ピストンを前記シリンダボディに沿って移動させると、前記吸水部から原水を吸引して前記浄化水供給部から浄化水を排出するようになっていることを特徴とする。
第２考案の浄水装置は、第１考案において、前記ポンプ部および前記浄水部が取り付けられる板状の本体プレートを備えており、前記浄水部は、水を濾過するフィルタと、該フィルタで濾過された濾過水を浄化する浄化器具と、を備えており、前記ポンプ部、前記フィルタ、前記浄化部は、いずれも軸方向に延びた筒状部材であり、前記ポンプ部、前記フィルタ、前記浄化部は、前記本体プレートの表面に、互いの軸方向が平行になりかつ該フィルタと該浄化部の間に該ポンプ部が位置するように取り付けられていることを特徴とする。
第３考案の浄水装置は、第１または第２考案において、前記ポンプ部は、シリンダボディの外部と内部を連通する連通口を備えており、該連通口に弁部が取り付けられており、該弁部は、前記吸水部と前記ポンプ部との間に配置され、前記吸水部から前記ポンプ部に向かう流れのみを許容する吸水側逆止弁と、前記ポンプ部と前記浄水部の間に配置され、前記ポンプ部から前記浄水部に向かう流れのみを許容する供給側逆止弁と、を有していることを特徴とする。
第４考案の浄水装置は、第１、第２または第３考案において、前記浄水部の浄化器具が、中空糸膜を有するフィルタであることを特徴とする。
第５考案の浄水装置は、第１、第２、第３または第４考案において、原水がペットボトル飲料水であることを特徴とする。
【考案の効果】
【００１２】
第１考案によれば、ポンプ部を手動で作動させれば、原水を濾過浄化して、飲用に適した水とすることができる。しかも、手動で作動するので、メンテナンスの手間が少なくなり、管理の手間とコストを低減することができる。
第２考案によれば、ポンプ部、フィルタ、浄化器具が本体プレートに取り付けられているので、取り扱い性がよい。しかも、本体プレートは板状であるので、装置を軽量化できる。また、ポンプ部、フィルタ、浄化器具が全て筒状であるので、装置の幅も狭くでき、装置をコンパクトにできる。したがって、女性や子供でも容易に持ち運びができ、簡単に使用することができるし、装置の保管スペースも小さくできる。
第３考案によれば、装置の構成を簡素化できるので、装置を安価にでき、装置の故障などを防止することができる。
第４考案によれば、浄化水をある程度高度に浄化できるので、浄化水の水質を向上することができる。
第５考案によれば、非常用のペットボトル飲料水を浄化できるので、非常用のペットボトル飲料水の交換時期を長期化できる。
【図面の簡単な説明】
【００１３】
【図１】本実施形態の浄水装置１の概略斜視図である。
【図２】本実施形態の浄水装置１の正面図である。
【図３】本実施形態の浄水装置１の概略背面図である。
【図４】本実施形態の浄水装置１のブロック図である。
【考案を実施するための形態】
【００１４】
本考案の浄水装置は、災害時において水を浄化する装置であって、手動で水を浄化できるようにしたことに特徴を有している。
【００１５】
（本考案の浄水装置の用途について）
本考案の浄水装置は、水中に存在する浮遊物が少ない水を浄化対象としている。例えば、消費期限が過ぎたペットボトル飲料水やマンション等の受水槽の水、プールに溜まっている水等のように、一旦浄化された水が本考案の浄水装置が浄化する対象となる水である。河川や池などのように浄化されていない水は、本考案の浄水装置が浄化する対象とはならない。また、一旦浄化された水であっても、多数の浮遊物が存在する水は本考案の浄水装置が浄化する水としては適さない。例えば、プールに溜まっている水であっても、長期間放置されて藻などが発生した水は本考案の浄水装置が浄化する対象として適さない。
【００１６】
（本実施形態の浄水装置１について）
本実施形態の浄水装置１を図面に基づいて説明する。
図１に示すように、本実施形態の浄水装置１は、吸引部３、ポンプ部１０、浄水部４、浄化水供給部７、を備えている。そして、ポンプ部１０を作動させると、吸引部３から原水が吸引され、ポンプ部１０、浄水部４の順に原水が流れて、原水が浄化される。そして、浄化された浄化水を浄化水供給部７から供給できるようになっている。
【００１７】
図１〜図３に示すように、本実施形態の浄水装置１では、ポンプ部１０は筒状のシリンダボディ１１を有するものを使用している。また、浄水部４のフィルタ５と浄化器具６には、その軸方向の長さがポンプ部１０の筒状のシリンダボディ１１よりも短い筒状のものを使用している。そして、ポンプ部１０および浄水部４のフィルタ５および浄化器具６は、本体プレート２にその軸方向が平行となるように取り付けられている。具体的には、本体プレート２は板状の本体部２ａを備えており、この板状の本体部２ａの前面のほぼ中央にポンプ部１０のシリンダボディ１１が固定されている。一方、フィルタ５と浄化器具６は、両者の間にポンプ部１０のシリンダボディ１１が位置するように板状の本体部２ａの前面に取り付けられている。
【００１８】
上記のごとき構成とすれば、ポンプ部１０、フィルタ５、浄化器具６が本体プレート２の本体部２ａに取り付けられているので、搬送したりする際の取り扱い性がよくなる、しかも、本体プレート２の本体部２ａが板状であるので、装置を軽量化できる。さらに、ポンプ部１０、フィルタ５、浄化器具６が全て筒状であるので、装置の幅も狭くでき、装置をコンパクトにできる。したがって、女性や子供でも容易に持ち運びができ、簡単に使用することができるし、装置の保管スペースも小さくできる。
【００１９】
例えば、本実施形態の浄水装置１は、上述したような構成とすれば、その高さを５０〜８０ｃｍ程度、その幅を１５〜２５ｃｍ程度にすることができる。そして、本体プレート２の本体部２ａが板状の部材で形成されているので、浄水装置１の重量をせいぜい４〜６ｋｇ程度の重さにできる。すると、女性や子供でも簡単に持ち運びができる。しかも、この程度の大きさであれば、収納スペースも小さくできるので、各家庭で保管しておくこともできるし、マンションの各階に複数台保管していても保管スペースを小さくできる。
【００２０】
なお、ポンプ部１０のシリンダボディ１１は本体プレート２の本体部２ａに固定されているが、フィルタ５および浄化器具６は、クランブ等によって、本体プレート２の本体部２ａに着脱可能に取り付けられている。したがって、浄水部４のフィルタ５および浄化器具６は簡単に交換できるようになっている。
【００２１】
また、ポンプ部１０とフィルタ５を繋ぐチューブや浄化器具６と浄化水供給部７を繋ぐチューブは、本体部２ａの背面に配置されるようにすることが好ましい。かかる配置とすれば、装置の外観をすっきりとさせることができる。また、フィルタ５および浄化器具６を交換する際に、チューブが邪魔になりにくいという利点も得られる。
【００２２】
以下、本実施形態の浄水装置１の各部を説明する。
【００２３】
（吸水部３）
図１において、符号３が吸水部を示している。この吸水部３は、ペットボトルなどの中に入れてペットボトル内の水に浸漬するものである。この吸水部３は、チューブ３ａを介して、ポンプ１０に弁部２０に連通されている。この吸水部３には、水に浮遊している固形物が吸引されないようにストレーナーが設けられている。なお、ペットボトル飲料水のように、固形物が含まれていないような水に浸漬する場合には、吸水部３にストレーナーは設けなくもてよいし、チューブ３ａの一端開口を吸水部３としてもよい。
【００２４】
ポンプ１０の弁部２０には、ポンプ１０から加圧された水が供給され、この水を浄化する浄化部４がチューブなどを介して連通されている。具体的には、ポンプ１０の弁部２０とフィルタ５の供給口がチューブ５ａによって連通されており、フィルタ５の流出口がチューブ６ｃによって浄化器具６の流入口に連通されている。
【００２５】
（フィルタ５）
フィルタ５は、ポンプ１０の弁部２０から供給される原水を濾過して、吸水部３のストレーナーで取り除けなかった浮遊物を除去する機能を有している。このフィルタ５は、ケース内にフィルタが収容されている。このフィルタ５は、ケースの一端（図１〜３では下端）に設けられた流入口から流入した原水がケースの他端（図１〜３で上端）に設けられた流出口から流出する間に、原水がフィルタを通過するように設けられている。例えば、フィルタが活性炭であれば、活性炭はケース内を満たすように収容されている。
【００２６】
なお、フィルタ５のフィルタに使用する活性炭はとくに限定されない。例えば、ポンプ部１０を手動で作動させて、２Ｌ／ｍｉｎ程度の流量でフィルタ５に原水を通過させることができるものを使用することが望ましい。一般的な粒状やブロック状、繊維状等の活性炭を使用すれば、ポンプ部１０を手動で作動させても、上記流量で活性炭に原水を通過させることができる。なお、原水を適切に濾過する上では、フィルタ５に使用する活性炭は、韓国の水処理剤の基準と規格及び表示基準（環境部告示第２０１３−１８８号）を満たすものを使用することが望ましい。
【００２７】
また、フィルタ５のフィルタは活性炭に限られず、原水中の浮遊物を除去できる機能を有するものであればよく、とくに限定されない。例えば、積層フィルタや糸巻きフィルタなどをフィルタとして使用することができる。しかし、フィルタに活性炭を使用すれば、原水中の微細な不純物もある程度除去でき、原水の臭気も除去できるという利点が得られる。
【００２８】
（浄化器具６）
浄化器具６は、フィルタ５を通過した水（濾過水）をさらに浄化するものである。つまり、浄化器具６は、フィルタ５のフィルタでも除去できなかった不純物等を濾過水から除去して飲用に適した浄化水とする機能を有するものである。具体的には、浄化器具６は、ケース内に浄化器具６を有しており、ケースの流入口６ａから流入した濾過水がケースの流出口６ｂから流出する間に、濾過水が浄化器具６を通過するように設けられている。この浄化器具６は、濾過水をある程度高度に浄化することができる器具が使用されている。例えば、中空糸膜からなるフィルタを有する器具を浄化器具６として使用することができる。この場合、中空糸膜の内部を流出口６ｂと連通させ、ケース内面と中空糸膜の外面との間の連通空間を流入口６ａに連通させる。すると、濾過水にさびや大腸菌等が含まれていても、連通空間に流入した濾過水が中空糸膜を通過すれば、前記物質が除去された浄化水を中空糸膜の内部に供給することができる。
【００２９】
なお、浄化器具６に使用するフィルタはとくに限定されず、ＵＦフィルタやＭＦフィルタ等を使用することができる。また、ＵＦフィルタやＭＦフィルタ等に使用されるフィルタ膜の構造もとくに限定されず、中空糸膜や平膜など、種々の構造のものを使用することができる。例えば、浄化器具６に、PolySulfone製の孔サイズ０．１μｍ（通液度：４０ｃｃ／ｃｍ２・ｍｉｎ・（ｋｇ／ｃｍ２））の中空糸膜を有するＵＦフィルタを使用すれば、ポンプ部１０を手動で作動させることによって、２Ｌ／ｍｉｎ程度の流量で浄化水を得ることができる。
【００３０】
また、浄水部４は、浄化器具６を通過した浄化水をさらに濾過するフィルタを備えていてもよい。例えば、浄化器具６の流出口６ｂと浄化水供給部７との間にフィルタ部を設けて、このフィルタを通過した浄化水を浄化水供給部７に供給するようにしてもよい。この場合、フィルタとして活性炭によって浄化水を濾過するようにすれば、浄化器具６で浄化された浄化水をさらに高度に浄化できるので、浄化水の水質を向上することができる。例えば、浄化水の臭いや味等をより無味無臭のものとすることができる。
【００３１】
（浄化水供給部７）
図１に示すように、浄水部４の浄化器具６の流出口６ｂには、浄化水供給部７の一端（基端）が連通されている。この浄化水供給部７はチューブによって構成されており、その先端から、浄水部４で浄化された浄化水が排出されるようになっている。
【００３２】
なお、浄化水供給部７は、チューブの先端に簡易な蛇口などを設けてもよい。この場合、浄化した水を衛生的に供給できるという点で好ましい。そして、本体ケース２の本体部２ａにブラケット２ｂを設けて、このブラケット２ｂに蛇口を固定するようにすれば、浄化した水の供給が行いやすくなる。
【００３３】
（ポンプ部１０）
図１に示すように、ポンプ部１０は、吸水部３と浄水部４の間に設けられている。
このポンプ部１０は、一般的な空気入れと同等の構造を有しており、シリンダボディ１１と、そのシリンダボディ１１内の中空な空間１１ｈ内に配置されたピストン１２と、このピストン１２に連結されたハンドルレバー１３とを備えている。そして、ハンドルレバー１３を昇降させれば、ピストン１２は、シリンダボディ１１内の空間１１ｈ内を、シリンダボディ１１の軸方向に移動できるようになっている。
【００３４】
（弁部２０）
前記シリンダボディ１１の下端には、空間１１ｈと外部との間を連通する連通口が形成されており、この連通口には弁部２０が取り付けられている。この弁部２０は、略Ｔ字状に形成された中空な本体部２１を備えている。この本体部２１は、３つの開口を有しており、その一の開口がシリンダボディ１１の連通口に取り付けられている。この本体部２１の他の２つの開口のうち、一つの開口は吸水部３が連結されており、他方の一つの開口にはチューブ５ａを介して浄水部４のフィルタ５に連通されている。
【００３５】
そして、本体部２１には、吸水部３と連通された開口と連通口の間に、吸水側逆止弁２２が設けられている。この吸水側逆止弁２２は、吸水部３からシリンダボディ１１に向かう流れ、つまり、吸水部３からポンプ部１０に向かう流れのみを許容する機能を有している。
【００３６】
一方、本体部２１には、チューブ５ａが連結された開口と連通口の間に、供給側逆止弁２３が設けられている。この供給側逆止弁２３は、シリンダボディ１１からチューブ５ａに向かう流れ、つまり、ポンプ部１０から浄水部４のフィルタ５に向かう流れのみを許容する機能を有している。
【００３７】
ポンプ部１０がかかる構成を有しているので、ハンドルレバー１３を操作してピストン１２を上昇させれば、シリンダボディ１１内の空間１１ｈ内に吸水部３から原水を吸引できる。逆に、ハンドルレバー１３を操作してピストン１２を下降させれば、シリンダボディ１１内の空間１１ｈ内の原水を浄水部４のフィルタ５に供給することができる。
【００３８】
つまり、ハンドルレバー１３を操作して、ピストン１２を昇降させれば、吸引部３から原水を吸引して浄水部４に供給でき、浄水部４によって原水を濾過浄水して、浄化水供給部７から浄化水を間欠的に供給することができるのである。
【００３９】
（ポンプ部１０の配設位置）
なお、上記例では、ポンプ部１０は浄水部４の前、つまり、吸水部３と浄水部４の間に設けている、しかし、ポンプ部１０は、フィルタ５と浄水部４の間に設けてもよいし、浄水部４の後、つまり、浄水部４と浄化水供給部７の間に設けてもよい。
【００４０】
（ポンプ部１０の脚部１５）
図１に示すように、ポンプ部１０は、本実施形態の浄水装置１が自立できるように脚部１５を設けていることが望ましい。本実施形態の浄水装置１が自立できれば、ポンプ部１０のハンドルレバー１３を作動させる際に、安定して作動させることができる。また、本実施形態の浄水装置１を保管する際にも、保管させる際に立てておくことができるので、保管する場所の自由度を高めることができる。
【００４１】
（圧力ゲージ２５）
本実施形態の浄水装置１のチューブ５ａには、チューブ５ａを流れる水の圧力を確認するための圧力ゲージ２５を設けてもよい。フィルタ５や浄化器具６の詰り等が生じて水が流れにくくなれば、ポンプ１０を作動させた際に発生する圧力が大きくなる。過剰な水圧がフィルタ５や浄化器具６に加われば、フィルタ５や浄化器具６が損傷する可能性がある。上記のような圧力ゲージ２５を設ければ、圧力ゲージ２５の値を確認することで、フィルタ５や浄化器具６の詰り等を把握できる。すると、過剰な水圧がフィルタ５や浄化器具６に加わることを防止できるので、フィルタ５や浄化器具６の損傷を未然に防ぐことができる。圧力ゲージ２５を設ける位置やその設置方法はとくに限定されない。例えば、図３に示すように、チューブ５ａに連通された配管２６ａを設けて、この配管２５ａに圧力ゲージ２５を連通してもよい。この場合、本体プレート２の本体部２ａにブラケット２ｂを設けて、このブラケット２ｂに圧力ゲージ２５を設置する。すると、ポンプ１０を作動させながら圧力ゲージ２５の値を確認できる。また、配管２６ａは、弁部２０に連結してもよい。
【産業上の利用可能性】
【００４２】
本考案の浄水装置は、非常時においてペットボトルやプール、受水槽等の水を浄化するための装置として適している。
【符号の説明】
【００４３】
１      浄水装置
２      本体プレート
３      吸水部
４      浄水部
５      フィルタ
６      浄化器具
７      浄化水供給部
１０      ポンプ部
１１      シリンダボディ
１２      ピストン
１３      ハンドルレバー
２０      弁部
２１      ケース
２２      吸水側逆止弁
２３      供給側逆止弁
【図１】
0003203626.tif 000003
【図２】
0003203626.tif 000004
【図３】
0003203626.tif 000005
【図４】
0003203626.tif 000006